(57)【特許請求の範囲】
【請求項１】
車室の天井に取付けるテレビの取付け構造において、車室の天井の天井トリムにテレビ取付け開口を形成し、テレビを、ベースプレートと、該ベースプレートに起倒回動自在に取付けたテレビ本体と、上記ベースプレートに沿わせるように倒した上記テレビ本体の外周を取り囲んでこれを収納する枠状のカバー部材とで構成し、上記ベースプレートには、天井トリムの上記テレビ取付け開口の開口縁と重ね合される前後の端縁の内側位置にそれぞれ第１の貫通孔および第２の貫通孔を形成するとともに、上記カバー部材には上記第１の貫通孔と対応する位置に上方へ突出して上端がく字形に屈曲する第１の係止部を形成するとともに、上記第２の貫通孔と対応する位置に上方へ突出し、上端に係止爪を有する第２の係止部を形成し、上記ベースプレートを、天井トリムの上記テレビ取付け開口を塞ぐようにして前後の端縁をそれぞれ上記テレビ取付け開口の前後の開口縁の上面に重ね合わせ、かつ、上記カバー部材の前後の外周端縁をそれぞれ上記テレビ取付け開口の前後の開口縁の下面に当接せしめた状態で、上記第１の係止部を上記第１の貫通孔に挿通して屈曲端を上記第１の貫通孔の開孔縁の上面に圧接係止せしめ、上記第２の係止部の係止爪を上記第２の貫通孔に挿通して第２の貫通孔の開孔縁の上面に弾接係止せしめて上記カバー部材を上記ベースプレートに固定し、上記テレビ取付け開口の前後の開口縁をそれぞれ、上記ベースプレートの前端縁と上記カバー部材の外周前端縁との間、および、上記ベースプレートの後端縁と上記カバー部材の外周後端縁との間で挟み付けるようになしたことを特徴とする車両用テレビの取付け構造。
【発明の詳細な説明】
【０００１】
【発明の属する技術分野】
本発明は、車室の天井に付設する車両用テレビの取付け構造に関する。
【０００２】
【従来の技術】
近時、車室天井高の高いワゴン車等には、図３に示すように、車室天井ＣにテレビＴを付設することがなされている。この種のテレビＴは、液晶ディスプレイを用いた薄型のテレビ本体１をベース部２Ａに起倒回動自在に組付けたもので、ベース部２Ａを車室天井Ｃに取付けて、テレビ本体１を下方へ回動しほぼ垂直姿勢として使用し、不使用時には、テレビ本体１を上方へ回動しほぼ水平状にベース部２Ａに収納する。図の１０は画面である。
【０００３】
図４に従来のテレビの取付け構造を示す。テレビＴのベース部２Ａは、表面にテレビ本体１を収納する凹部２１を有する箱体で、ベース部２Ａの背面にはベースプレート３Ａが一体に組付けてある。一方、車室天井Ｃには、合成樹脂製の板材５ａを表皮５ｂで被覆した天井トリム５にテレビ取付け開口（以下、開口という）５０が設けてある。開口５０は、車幅方向に延在し車体ルーフを補強するルーフリインフォースメント（以下、リインフォースメントという）６に対応する位置に形成してある。そして、テレビＴは、ベース部２Ａを下方から開口５０を塞ぐようにして外周端を天井トリム５の開口５０の開口縁の下面に押し当てて、ベースプレート３Ａをリインフォースメント６に締結して取付けている。
【０００４】
ところで、合成樹脂製の天井トリム５の開口５０まわりは剛性が不充分で、湾曲したり、あるいはベース部２Ａと天井トリム５の開口５０まわりとの間に隙間ができたりして見栄えが良くない。
【０００５】
そこで従来、図５に示すように、天井トリム５の開口５０まわりの上面に、開口縁に沿うように枠状のリテーナ７を重合固着して開口縁を強化したり、図６に示すように、開口５０にこれを上方から塞ぐように、パネル状のブラケット８を上記リインフォースメント６に取付けてその前端縁および後端縁をそれぞれ開口５０の開口前縁および開口後縁に重ね、上記ブラケット８にベース部２Ａのベースプレート３Ａを締結して、ベース部２Ａの前端および後端とブラケット８の前端縁および後端縁とで開口５０の前後の開口縁を上下に挟み付けることがなされている。
【０００６】
【発明が解決しようとする課題】
しかしながら、これらの従来構造では、枠状のリテーナ７やパネル状のブラケット８などの別部材を取付けているので、部品点数が増えて重量が増加し、また、コストが高くなり、取付け作業の作業工数も多い。そこで本発明は、テレビ取付け専用の別部材を用いることなく、テレビのベース部と車室天井との衝合部に変形や隙間が生じない車両用テレビの取付け構造を実現することを課題としてなされたものである。
【０００７】
【課題を解決するための手段】
本発明は、車室の天井に取付けるテレビの取付け構造において、車室の天井の天井トリムに開口を形成し、テレビを、ベースプレートと、該ベースプレートに起倒回動自在に取付けたテレビ本体と、上記ベースプレートに沿わせるように倒した上記テレビ本体の外周を取り囲んでこれを収納する枠状のカバー部材とで構成し、上記ベースプレートには、天井トリムの上記テレビ取付け開口の開口縁と重ね合される前後の端縁の内側位置にそれぞれ第１の貫通孔および第２の貫通孔を形成するとともに、上記カバー部材には上記第１の貫通孔と対応する位置に上方へ突出して上端がく字形に屈曲する第１の係止部を形成するとともに、上記第２の貫通孔と対応する位置に上方へ突出し、上端に係止爪を有する第２の係止部を形成し、上記ベースプレートを、天井トリムの上記開口を塞ぐようにして前後の端縁をそれぞれ上記開口の前後の開口縁の上面に重ね合わせ、かつ、上記カバー部材の前後の外周端縁をそれぞれ上記開口の前後の開口縁の下面に当接せしめた状態で、上記第１の係止部を上記第１の貫通孔に挿通して屈曲端を上記第１の貫通孔の開孔縁の上面に圧接係止せしめ、上記第２の係止部の係止爪を上記第２の貫通孔に挿通して第２の貫通孔の開孔縁の上面に弾接係止せしめて上記カバー部材を上記ベースプレートに固定し、上記開口の前後の開口縁をそれぞれ、上記ベースプレートの前端縁と上記カバー部材の外周前端縁との間、および、上記ベースプレートの後端縁と上記カバー部材の外周後端縁との間で挟み付ける。
【０００８】
本発明では、テレビを構成するベースプレートとカバー部材を別体とし、これ等で天井トリムの開口の前後の開口縁を上下に挟み付けたので、テレビを天井に隙間なく見栄え良好に取付けることができる。また、カバー部材は、第１および第２の係止部をそれぞれベースプレートの第１および第２の貫通孔に係止して取付けるようにしたので、テレビの取付け専用部材を必要とせず構造の簡略化および軽量化がはかれ、かつ、テレビの取付け作業性が向上し、作業工数の減少につながる。
【０００９】
【発明の実施の形態】
本発明の実施の形態を図１ないし図３に基づいて説明する。テレビＴは、図３に示すように、テレビ本体１を車室天井Ｃから垂下起立状態として使用し、回動させ車室天井Ｃに沿わせて収納するものである。
【００１０】
図１および図２に示すように、車室天井Ｃは合成樹脂製の板材５ａを表皮５ｂで被覆した天井トリム５で全体が被覆してあり、天井トリム５には四角形状の開口５０が形成してある。開口５０は四隅のコーナー部が円弧状に形成してある。開口５０は、ルーフパネルの下面に沿って車幅方向に設けてルーフパネルを補強する帯状のリインフォースメント６に対応する位置に形成してある。リインフォースメント６は断面逆ハット形で開口５０を車幅方向に横切り、開口５０の左右の開口縁の上面がリインフォースメント６の下面と当接している。
【００１１】
テレビＴのテレビ本体１は液晶ディスプレイを用いた箱型で、その前後寸法（図の左側が前側）および左右の幅寸法は天井トリム５の開口５０よりも小さいものである。テレビＴのベース部２は、金属板のベースプレート３と、これとは別体の合成樹脂よりなる枠状のカバー部材４とからなる。
【００１２】
ベースプレート３はほぼ四角形状のパネル材で、その前後寸法は天井トリム５の開口５０の前後寸法よりも大きく形成してあり、左右の幅寸法は開口５０内に嵌め込めるように開口５０の幅寸法よりも若干小さく形成してある。ベースプレート３は、四つの隅角部が切り落としてあり、前端縁３１および後端縁３２の幅寸法が開口５０の前後の開口縁５１，５２の幅寸法よりも小さくしてある。
【００１３】
ベースプレート３には、前端の左右両側にそれぞれ角形の第１の貫通孔３３が形成してあり、また、後端には左右両側にそれぞれ角形の第２の貫通孔３４が形成してある。第１および第２の貫通孔３３，３４はそれぞれ前端縁３１および後端縁３２よりも若干内側位置に形成してあり、両貫通孔３３，３４間の前後の間隔は天井トリム５の開口５０の前後寸法とほぼ同じ寸法としてある。更に、ベースプレート３には左右両側端にそれぞれ前後にねじ止め用の貫通孔３５が形成してある。
【００１４】
そして、ベースプレート３の下面には、前端の左右両側位置に下方へ突出する左右一対の突起部３６が形成してあり、これ等にテレビ本体１の左右の側面前端が軸支してある。テレビ本体１は、支持部を中心に上下方向に回動して画面１０がベースプレート３と対向するようにしてある。
【００１５】
カバー部材４は合成樹脂よりなる枠状で、外周寸法は天井トリム５の開口５０の外周寸法よりも大きく形成してあり、前端縁４１および後端縁４２ならびに側端縁はそれぞれ上方に向かって湾曲起立している。カバー部材４の内周寸法はテレビ本体１を収納するようにテレビ本体１の外周寸法に合わせてある。そして、カバー部材４の内周縁の高さはテレビ本体１の厚みに合わせてある。
【００１６】
カバー部材４の前端には左右両側にそれぞれ、ベースプレート３の第１の貫通孔３３と対応する位置に第１の係止部４３が設けてある。第１の係止部４３は上方（カバー部材４の背面側）に突出し、先端が前方へほぼく字形に屈曲した屈曲端４５を備えている。一方、カバー部材４の後端には左右両側にそれぞれ、ベースプレート３の第２の貫通孔３４と対応する位置に上方へ突出する第２の係止部４４が設けてあり、第２の係止部４４の先端には、後方に向かって突出する断面山形の係止爪４６を備えている。係止爪４６は、係止部４４の中間部にほぼＵ字形に切込みを設け、撓み変形可能な舌片状の切り残し部により成形したものである。
【００１７】
テレビＴを車室天井Ｃに取付けるには、まず、ベースプレート３を天井トリム５の開口５を上方から塞ぐように開口５０内にその下方から嵌め込む。ベースプレート３を下方から嵌め込む場合、ベースプレート３を前後方向に斜めにして前端縁３１側から開口５０内に挿入し、後端縁３２側を開口５０内に挿入する。そして、ベースプレート３を車両後方へスライドすることにより開口５０の前後の開口縁５１，５２の上面に重ね合わせ、ベースプレート３の第１および第２の貫通孔３３，３４をそれぞれ開口５０の前後の開口縁５１，５２の内側に沿うように位置合わせする。
【００１８】
ベースプレート３は開口５０内に嵌め込んだとき、左右両側の貫通孔３５にリインフォースメント６のウェエルドボルトＷを挿通し、ベースプレート３の上面をリインフォースメント６の下面に当接せしめ、各貫通孔３５の下方よりナットＮをウェルドボルトＷに締め付けてベースプレート３をリインフォースメント６に固定する。
【００１９】
次に、ベースプレート３に沿うように倒した状態のテレビ本体１の外周まわりを取り囲むとともに天井トリム５の開口５０の開口縁を被覆するカバー部材４を取付ける。カバー部材４は、図２において２点鎖線で示すように、前上がりの傾斜姿勢で外周前端縁４１を天井トリム５下面の開口５０の開口前縁５１に押し当てながら第１の係止部４３をベースプレート３の第１の貫通孔３３に貫入して屈曲端４５を第１の貫通孔３３の開孔前縁の上面に圧接係止してカバー部材４の前端を止め、そして、カバー部材４を水平に戻しながら、第２の係止部４４をベースプレート３の第２の貫通孔３４に係止爪４６を撓ませつつ圧入し、係止爪４６を第２の貫通孔３４の開孔後縁の上面に弾接係止してカバー部材４の外周端縁全周を天井トリム５の開口５０まわりに圧接せしめる。
【００２０】
これにより、天井トリム５の開口５０の開口前縁５１はベースプレート３の前端縁３１とカバー部材４の外周前端縁４１との間で上下に挟み付けられ、開口５０の開口後縁５２はベースプレート３の後端縁３２とカバー部材４の外周後端縁４２との間で上下に挟み付けられ、かつ、開口５０の左右の開口側縁はカバー部材４の左右の外周側端縁とリインフォースメント６とで上下に挟み付けられ、天井トリム５の開口５０まわりは安定し、かつ、テレビＴの外周との間に隙間が生じず見栄えが損なわれない。
【００２１】
また、カバー部材４は、その第１および第２の係止部４３，４４を順次ベースプレート３の第１および第２の貫通孔３３，３４に係止することで取付け作業性が良好である。
【００２２】
【発明の効果】
本発明の車両用のテレビの取付け構造によれば、テレビ取付け専用の別部材を用いることなく、テレビを構成するベースプレートとカバー部材を別体とし、これ等を利用して取付ける構造としたので、構造の簡素化および軽量化がはかれ、かつ、取付け作業性が良好で、テレビと車室天井との衝合部に隙間の生じない見栄えのよい取付けが実現できる。
【図面の簡単な説明】
【図１】本発明の取付け構造を適用した車両用テレビを、収納状態で下方から見た平面図である。
【図２】図１のＩＩ−ＩＩ線に沿う縦断面図である。
【図３】車室天井に取付けた車両用テレビの斜視図である。
【図４】従来の車両用テレビの取付け構造を示す縦断面図である。
【図５】従来の他の車両用テレビの取付け構造を示す縦断面図である。
【図６】従来の更に他の車両用テレビの取付け構造を示す縦断面図である。
【符号の説明】
Ｃ  車室天井
Ｔ  テレビ
１  テレビ本体
３  ベースプレート
３１  前端縁
３２  後端縁
３３  第１の貫通孔
３４  第２の貫通孔
４  カバー部材
４１  外周前端縁
４２  外周後端縁
４３  第１の係止部
４４  第２の係止部
４５  屈曲端
４６  係止爪
５  天井トリム
５０  テレビ取付け開口
５１  開口前縁
５２  開口後縁
【図１】
0003573024.tif 000002
【図２】
0003573024.tif 000003
【図３】
0003573024.tif 000004
【図４】
0003573024.tif 000005
【図５】
0003573024.tif 000006
【図６】
0003573024.tif 000007